(57)【特許請求の範囲】
【請求項１】
屋外から取り込んだ外部空気を熱交換器部により熱交換した空調空気を流通する第１流通路と、
ホール内から取り込んだフィードバック用空気を流通する第２流通路と、
前記第１流通路を流通する前記空調空気と、前記第２流通路を流通する前記フィードバック用空気とを混合した混合空気を前記ホール内に吹き出す室内機部と、
前記ホール内から取り込んだ排出用空気を前記熱交換器部により前記外部空気との間で熱交換を行って前記屋外に排出するために流通する第３流通路と、
前記フィードバック用空気内に含まれる菌を殺菌するために紫外線を照射する紫外線発生部と、
を備え、
前記紫外線発生部は、
前記紫外線が前記フィードバック用空気を照射するように前記第２流通路内に設けられる第１紫外線発生部と、
前記紫外線が前記混合空気を照射するように前記室内機部に設けられる第２紫外線発生部と、
を有し、
前記第１紫外線発生部は、棒状に延伸する紫外線灯であり、該紫外線灯は、延伸方向が空気の流れる方向に対して一致するように前記第２流通路内に装着されており、
前記第２紫外線発生部は、棒状に延伸する紫外線灯であり、該紫外線灯は、延伸方向が空気の流れる方向に対して一致するように前記室内機部に装着されていることを特徴とするホール空調システム。
【請求項２】
請求項１に記載のホール空調システムにおいて、
前記フィードバック用空気内に含まれる菌を殺菌するためのオゾンを発生するオゾン発生部をさらに備え、
前記オゾン発生部は、前記第１紫外線発生部及び前記第２紫外線発生部と並んで配置されていることを特徴とするホール空調システム。
【発明の詳細な説明】
【技術分野】
【０００１】
本発明は、ホール空調システムに関する。
【背景技術】
【０００２】
近年、新型コロナウィルス感染症の影響により、商業施設などの各施設が感染症対策を講じることが求められている。多数の人数が密集する空間として、例えば、パチンコホールにおいても様々な対策が考えられている。
【０００３】
本発明に関連する技術として、例えば、特許文献１には、複数のパチンコ台などの遊技台が設置された島が多数配列されたパチンコホールにおいて、島に、島間の通路の空気を吸引する排気ダクトを配設したことを特徴とするパチンコホールなどの遊技施設における換気システムが開示されている。
【先行技術文献】
【特許文献】
【０００４】
【特許文献１】特開平１０−１５２１７号公報
【発明の概要】
【発明が解決しようとする課題】
【０００５】
夏場のパチンコホールでは、冷却された空気をホール内に循環させるとともに、ホール内の空気を適宜換気する必要がある。新型コロナウィルス感染症対策の観点では、全ての空気を入れ替えるように換気することが好ましいが、全ての空気を入れ替えると空調効率が下がってしまうという課題がある。
【０００６】
本発明の目的は、新型コロナウィルス感染症の対策を行いつつ、空調効率を高めることを可能とするホール空調システムを提供することである。
【課題を解決するための手段】
【０００７】
本発明に係るホール空調システムは、屋外から取り込んだ外部空気を熱交換器部により熱交換した空調空気を流通する第１流通路と、ホール内から取り込んだフィードバック用空気を流通する第２流通路と、前記第１流通路を流通する前記空調空気と、前記第２流通路を流通する前記フィードバック用空気とを混合した混合空気を前記ホール内に吹き出す室内機部と、前記ホール内から取り込んだ排出用空気を前記熱交換器部により前記外部空気との間で熱交換を行って前記屋外に排出するために流通する第３流通路と、前記フィードバック用空気内に含まれる菌を殺菌するために紫外線を照射する紫外線発生部と、を備え、前記紫外線発生部は、前記紫外線が前記フィードバック用空気を照射するように前記第２流通路内に設けられる第１紫外線発生部と、前記紫外線が前記混合空気を照射するように前記室内機部に設けられる第２紫外線発生部と、を有し、前記第１紫外線発生部は、棒状に延伸する紫外線灯であり、該紫外線灯は、延伸方向が空気の流れる方向に対して一致するように前記第２流通路内に装着されており、前記第２紫外線発生部は、棒状に延伸する紫外線灯であり、該紫外線灯は、延伸方向が空気の流れる方向に対して一致するように前記室内機部に装着されていることを特徴とする。
【００１２】
また、本発明に係るホール空調システムにおいて、前記フィードバック用空気内に含まれる菌を殺菌するためのオゾンを発生するオゾン発生部をさらに備え、前記オゾン発生部は、前記第１紫外線発生部及び前記第２紫外線発生部と並んで配置されていることが好ましい。
【発明の効果】
【００１３】
本発明によれば、新型コロナウィルス感染症の対策を行いつつ、空調効率を高めることが出来る。
【図面の簡単な説明】
【００１４】
【図１】本発明に係る実施の形態のホール空調システムを示す図である。
【図２】本発明に係る実施の形態のホール空調システムにおいて、第２流通路内に第１紫外線発生部が設置されている様子を示す図である。
【発明を実施するための形態】
【００１５】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１６】
図１は、本発明に係る実施の形態のホール空調システム１０を示す図である。図２は、本発明に係る実施の形態のホール空調システム１０において、第２流通路３２内に第１紫外線発生部３６が設置されている様子を示す図である。
【００１７】
ホール空調システム１０は、熱交換器部１８と、室内機部２０と、第１流通路３０と、第２流通路３２と、第３流通路３４と、第１紫外線発生部３６と、第２紫外線発生部３８とを備える。
【００１８】
熱交換器部１８は、保有する熱エネルギーの異なる２つの流体間で熱エネルギーを交換するために使用する機器であり、温度の高い物体から低い物体へ効率的に熱を移動させることで物体の加熱や冷却を行う機能を有する。
【００１９】
熱交換器部１８は、パチンコホール１２の屋外１６から出入口２６を介して取り込んだ外部空気と、パチンコホール１２内から屋外１６に排出するための排出用空気との間で熱エネルギーの交換を行い、夏場では、外部空気を冷却して第１流通路３０内を流通させる機能を有する。
【００２０】
室内機部２０は、第１流通路３０を流通する空調空気と、第２流通路３２を流通するフィードバック用空気とを混合した混合空気の空調を行って、排出用流通路３５に接続される吹出口２２を介して、パチンコホール１２内に吹き出す機能を有する。
【００２１】
室内機部２０は、図示しない室外機部との間で冷媒ガスのやり取りを行い、空調を行う機能を有する。冷媒ガスは、室内機部２０と室外機部とを結ぶ冷媒配管の中を循環している。
【００２２】
冷房運転の場合、室外機部の減圧器で低温の液体になった冷媒ガスは、室内機部２０に運ばれて熱交換器を冷やす。この時、室内機部２０ではファンで吸い込まれた空気が、冷やされた熱交換器によって熱を奪われ、冷たくなった空気はファンにより放出されるため、室内機部２０から冷たい風が出ることになる。
【００２３】
熱を吸収した気体の冷媒ガスは、室外機部に戻って圧縮器で高温の気体となる。その後、室外機部の熱交換器を通過する際、ファンによって冷却されるため室外機部から暖かい空気が放出される。
【００２４】
暖房運転の時は冷房運転の逆で、室外機部から外の空気の熱を吸収し、圧縮器で高温の気体となった冷媒ガスが室内機部２０に運ばれ、冷媒ガスの熱によって熱交換器が温められる。温められた熱交換器はファンによって熱を放出する。これにより、室内機部２０から暖かい風が出ることになる。
【００２５】
また、空気の熱は冷媒ガスによって室外機部に送られ外へ放出される。この熱の移動によってパチンコホール１２内の温度調節を行っている。暖房運転の時は、室外機部が外気の熱エネルギーを吸熱しているため、外気温度が低いほど暖房能力が低下する。
【００２６】
第１流通路３０は、一方端が出入口２６に接続され、他方端が室内機部２０に接続される流路であり、屋外１６から取り込んだ外部空気を熱交換器部１８により熱交換した空調空気を流通する。
【００２７】
第２流通路３２は、一方端が吸込口２４に接続され、他方端が室内機部２０に接続される流路であり、パチンコホール１２内から吸込口２４を介して取り込んだフィードバック用空気を流通する。
【００２８】
第３流通路３４は、一方端が吸込口２４に接続され、他方端が出入口２６に接続される流路であり、パチンコホール１２内から吸込口２４を介して取り込んだ排出用空気を熱交換器部１８により外部空気との間で熱交換を行って出入口２６を介して屋外１６に排出するために流通する。
【００２９】
紫外線発生部３６は、フィードバック用空気内に含まれる菌を殺菌するために紫外線を照射する紫外線灯３７と、電源部３９とを含んで構成される。
【００３０】
紫外線灯３７は、棒状に延伸し、紫外線を多く放射するように形成されたランプであり、水銀蒸気中の放電により、２５３．７ｎｍまたは３６５ｎｍのスペクトルを出す。紫外線の光化学作用、殺菌作用、紅斑作用を利用する多くの分野で用いられている。
【００３１】
圧力１０−２ｍｍＨｇ程度の低圧水銀放電は主として２５３．７ｎｍの紫外線を放射するので、石英ガラスまたは紫外線透過ガラスで放電管をつくり、殺菌ランプとして、フィードバック用空気内に含まれる菌の殺菌に用いられる。圧力１気圧程度の高圧水銀放電は主として３６５ｎｍの紫外線を放射する。
【００３２】
第１紫外線発生部３６は、紫外線がフィードバック用空気を照射するように第２流通路３２内に設けられる。第１紫外線発生部３６は、２本の紫外線灯が図２に示されるように、延伸方向が空気の流れる方向に対して一致するように第２流通路３２内に装着されている。なお、ここでは、２本の紫外線灯を用いるものとして説明するが、流路の大きさにより、紫外線灯の本数は適宜増減させることが可能である。
【００３３】
第２紫外線発生部３８は、紫外線が混合空気を照射するように室内機部２０に設けられる。第２紫外線発生部３８は、第１紫外線発生部３６と同様の構成を有している。紫外線灯は、延伸方向が空気の流れる方向に対して一致するように室内機部２０に装着されている。
【００３４】
オゾン発生部は、フィードバック用空気を殺菌するためにオゾンを発生するオゾンランプである。オゾン発生部は、殺菌紫外線２５３．７ｎｍと同時に、オゾン生成作用をもつ１８５ｎｍの紫外線を透過する石英ガラスを用いたオゾンランプ（短波長殺菌ランプ）である。
【００３５】
オゾン発生部は、棒状に延伸しており、第１紫外線発生部３６及び第２紫外線発生部３８とともに、空気の流れる方向に対して一致するように第２流通路３２及び室内機部２０に設けられていてもよい。
【００３６】
続いて、上記構成のホール空調システム１０の作用について説明する。パチンコホール１２では、室内機部２０によって空調された空気が吹出口２２を介して送り出されて循環する。
【００３７】
パチンコホール１２内の空気が図示しない換気装置により換気され、吸込口２４から吸込まれた排出用空気が第３流通路３４を流通し、熱交換器部１８により熱交換されて、屋外１６に排出される。
【００３８】
また、屋外１６から出入口２６を介して取り込まれた外部空気は、熱交換器部１８と熱交換を行い、室内機部２０に向かって流通する。
【００３９】
ここで、パチンコホール１２内の空気を吸込口２４から取り込む際に、空調効率を高める観点から一部の吸込口２４からはフィードバック用空気として第２流通路３２を流通させて室内機部２０に向かわせる。
【００４０】
上記フィードバック用空気は、パチンコホール１２内を循環している空気であるが、パチンコホール１２内に、例えば、新型コロナウィルス感染症の感染者がいた場合には、新型コロナウィルスがフィードバック用空気に含まれている場合は、室内機部２０を介して再びパチンコホール１２に戻ってくることになる。
【００４１】
しかしながら、ホール空調システム１０によれば、第２流通路３２において、フィードバック用空気の流れと、紫外線灯３７の延伸方向とが一致するため、フィードバック用空気が紫外線によって照射される時間を長くすることができ、これにより、殺菌効果を高めることが出来る。
【００４２】
また、ホール空調システム１０によれば、室内機部２０においても第２紫外線発生部３８が設けられているため、フィードバック用空気と空調空気とが混合された空気に対しても紫外線を照射できるため、より確実に殺菌することが出来るという利点がある。
【００４３】
このようにホール空調システム１０によれば、換気のために、パチンコホール１２内の空調された空気を全て屋外１６に排出するのではなく、一部をフィードバック用空気として戻しているため、空調効率を高めることができる。
【００４４】
また、フィードバック用空気には、新型コロナウィルスなどの菌が含まれている可能性があるが、ホール空調システム１０によれば、紫外線照射により殺菌される。これにより、新型コロナウィルス感染症の対策を行いつつ、空調効率を高めることが出来るという顕著な効果を奏する。
【００４５】
なお、上記では、フィードバック用空気に含まれる菌を第１紫外線発生部３６及び第２紫外線発生部３８から生じる紫外線により殺菌するものとして説明したが、いずれか一方のみを設置することでも殺菌効果がある。
【００４６】
また、第１紫外線発生部３６及び第２紫外線発生部３８に併せてオゾン発生部を設置することで、更なる殺菌効果を高めるとともに消臭効果を高めることが出来るという利点がある。
【符号の説明】
【００４７】
１０  ホール空調システム、１２  パチンコホール、１６  屋外、１８  熱交換器部、２０  室内機部、２２  吹出口、２４  吸込口、２６  出入口、３０  第１流通路、３２  第２流通路、３４  第３流通路、３５  排出用流通路、３６  紫外線発生部、３６  第１紫外線発生部、３７  紫外線灯、３８  第２紫外線発生部、３９  電源部。
【要約】      （修正有）【課題】新型コロナウィルス感染症の対策を行いつつ、空調効率を高めることを可能とするホール空調システムを提供する。【解決手段】屋外１６から取り込んだ外部空気を熱交換器部１８により熱交換した空調空気を流通する第１流通路３０と、パチンコホール１２内から取り込んだフィードバック用空気を流通する第２流通路３２と、第１流通路３０を流通する空調空気と、第２流通路３２を流通するフィードバック用空気とを混合した混合空気をパチンコホール１２内に吹き出す室内機部２０と、パチンコホール１２内から取り込んだ排出用空気を熱交換器部１８により外部空気との間で熱交換を行って屋外１６に排出するために流通する第３流通路３４と、フィードバック用空気内に含まれる菌を殺菌するために紫外線を照射する第１紫外線発生部３６と、を備えることを特徴とする。【選択図】図１【図１】
0006964301.tif 000002
【図２】
0006964301.tif 000003